(57)【要約】【課題】  本発明は、少なくとも二つの画素によって構成された微細構成子が格子状に規則的に複数配列されて成る真偽判別効果に優れた真偽判別可能な印刷物に関する。【解決手段】  基材上に印刷模様を設け、印刷模様は少なくとも二つの画素によって構成された微細構成子が格子状に規則的に複数配列されて成り、印刷模様は、第１の微細構成子から成る少なくとも一つの潜像画像部とその周辺に第２の微細構成子から成る背景画像部を含む真偽判別可能な印刷物において、微細構成子は、少なくとも２色を有し、第１の微細構成子と第２の微細構成子の形状を異ならせるか、又は、形状が同一で、第１の微細構成子と第２の微細構成子は互いに配置角度を異ならせて印刷物を得る。【選択図】  図１
2006051646.tif 000002
【特許請求の範囲】
【請求項１】
基材上に印刷模様を設け、前記印刷模様は少なくとも二つの画素によって構成された微細構成子が規則的に複数配列されて成り、第１の微細構成子から成る少なくとも一つの潜像画像部とその周辺に第２の微細構成子から成る背景画像部を含む真偽判別可能な印刷物において、
前記微細構成子は、少なくとも２色を有し、
前記第１の微細構成子と前記第２の微細構成子の形状が異なって成る真偽判別可能な印刷物であって、
前記真偽判別可能な印刷物にレンチキュラーレンズを重ね合わせた場合に、前記潜像画像部が視認されて成る真偽判別可能な印刷物。
【請求項２】
基材上に印刷模様を設け、前記印刷模様は少なくとも二つの画素によって構成された微細構成子が規則的に複数配列されて成り、第１の微細構成子から成る少なくとも一つの潜像画像部とその周辺に第２の微細構成子から成る背景画像部を含む真偽判別可能な印刷物において、
前記微細構成子は、少なくとも２色を有し、
前記第１の微細構成子と前記第２の微細構成子の形状が同一で形成され、
前記第１の微細構成子と前記第２の微細構成子は互いに配置角度が異なって成る真偽判別可能な印刷物であって、
前記真偽判別可能な印刷物にレンチキュラーレンズを重ね合わせた場合に、前記潜像画像部が視認されて成る真偽判別可能な印刷物。
【請求項３】
基材上に印刷模様を設け、前記印刷模様は少なくとも二つの画素によって構成された微細構成子が格子状に規則的に複数配列されて成り、第１の微細構成子から成る少なくとも一つの潜像画像部とその周辺に第２の微細構成子から成る背景画像部を含む真偽判別可能な印刷物において、
前記微細構成子は、少なくとも２色を有し、
前記第１の微細構成子と前記第２の微細構成子の形状が同一で形成され、
前記第１の微細構成子と前記第２の微細構成子を形成する同色の画素の配置位置が異なって成る真偽判別可能な印刷物であって、
前記真偽判別可能な印刷物にレンチキュラーレンズを重ね合わせた場合に、前記潜像画像部が視認されて成る真偽判別可能な印刷物。
【発明の詳細な説明】
【技術分野】
【０００１】
本発明は、少なくとも二つの画素によって構成された微細構成子が格子状に規則的に複数配列されて成る真偽判別効果に優れた真偽判別可能な印刷物に関する。
【背景技術】
【０００２】
銀行券、パスポート、有価証券、カード、印紙類、商品タグ、有料道路等の回数券、各種チケット等の貴重品は、その価値を保証・維持するために、偽造防止技術が施されている。そのため、このような貴重品には、特殊な印刷パターンが施され、印刷パターンに万線フィルタから成る判別具やレンチキュラーレンズからなる判別具を重ね合わせることによって、潜像画像が視認され、真偽判別が行われている。
【０００３】
例えば、万線フィルタから成る判別具によって真偽判別する技術として、万線画線で印刷された背景画像部と、背景画像部と異なった万線角度の万線画線で潜像画像部を印刷し、一見しては、背景画像部と潜像画像部は区分けして視認し難いが、所定の角度で万線フィルタを印刷物に重ね合わせて観察した場合に、背景画像部と潜像画像部が区分けされて視認できる技術が知られている。
【０００４】
レンチキュラーレンズから成る判別具によって真偽判別する技術として、ｎを２以上の所定の整数とし、第１〜ｎの順番に並列する第１〜ｎ帯によって組帯を形成し、並列する複数の前記組帯によって画像を形成する印刷物であって、前記第１〜ｎ帯から第１所定画像の前記帯に対応する領域を排他的に貼り付ける帯として２つを選択し、隠し画像の輪郭において前記選択した一方の帯から他方の帯へと前記貼り付ける帯を変化させることにより形成した画像が印刷されているようにした印刷物に、レンチキュラーレンズを重ね合わせることによって隠し画像が顕在化する印刷物が開示されている（特許文献１参照）。
【特許文献１】特開２００３−０９４７９０号公報（第１−８頁、第１−７図）
【発明の開示】
【発明が解決しようとする課題】
【０００５】
しかしながら、万線フィルタから成る判別具によって真偽判別される印刷物及び特開２００３−０９４７９０号公報記載の印刷物は、隠し画像となる潜像画像部及びその周辺の背景画像部は線画で構成するか、若しくは、隠し画像となる潜像画像部及びその周辺の背景画像部は網点による万線画線で構成され、更に、潜像画像部と背景画像部の万線の配列にズレを有しているため、印刷物のみで観察した場合においても潜像画像部と背景画像部の境が肉眼で視認される問題があった。また、万線画線で形成しているため潜像画像部のデザインに制限があった。
【０００６】
また、万線フィルタからなる判別具は、印刷物と重ね合わせた場合に、ある特定角度のみで潜像画像部が視認されるため、ある特定角度で重ねた場合のズレに対する許容範囲が狭いため、判別具と重ね合わせて真偽判別する段階で、潜像画像部を出現させるのに手間がかかっていた。また、万線フィルタの万線ピッチが印刷物の万線パターンのピッチに合わせる必要があり、万線フィルタの万線ピッチと印刷物を形成する万線パターンのピッチをほぼ同一にする必要があり、万線フィルタの万線ピッチのピッチ幅に制限があった。更に、万線フィルタは万線画線の画線部に遮断され、潜像画像部は明瞭に視認されるものではなかった。
【０００７】
また、特開２００３−０９４７９０号公報は潜像画像を万線画線で形成しているため、構成が単純で複製されるおそれがあり、更に、万線状のレンチキュラーレンズを印刷物の万線に対して、直角方向又は万線方向に重ねた場合に潜像画像が視認し難い問題があった。
【０００８】
以上のことから、本発明は前述した問題点を解決することを目的としたもので、基材上に印刷模様を設け、印刷模様は少なくとも二つの画素によって構成された微細構成子が規則的に複数配列されて成り、第１の微細構成子から成る少なくとも一つの潜像画像部とその周辺に第２の微細構成子から成る背景画像部を含む真偽判別可能な印刷物において、微細構成子は、少なくとも二色を有し、第１の微細構成子と第２の微細構成子の形状を異ならせるか、又は、形状が同一で、第１の微細構成子と第２の微細構成子は互いに配置角度、配置位置を異ならせることによって、印刷物のみで観察した場合においても潜像画像部と背景画像部の境が肉眼で視認されるおそれがなく、潜像画像部のデザインに制限がなく、また、判別具にレンチキュラーレンズを用い、微細構成子によって印刷物を形成することによって、ある特定角度で重ねた場合のズレに対する許容範囲が広く、レンチキュラーレンズと重ね合わせて真偽判別する段階で、手間がかかることなく、また、レンチキュラーレンズの凹凸ピッチと印刷物の微細構成子の配列ピッチをほぼ同一にする必要がなく、潜像画像部は従来よりも明瞭に視認され、印刷物とレンチキュラーレンズの重ね合せる位置又は角度によって、異なった色の潜像画像が視認できるため、真偽判別効果に優れる。また、少なくとも二つの画素によって構成された微細構成子は複雑に形成することも可能であるため複製し難い印刷物となり得る。また、潜像画像部と背景画像部で画線にズレを持たせることなく、スクリーン線数を異ならせる必要もない。更に、複写機で複写した複製物は背景画像部と潜像画像部の色調が異なって視認されるため、複写防止効果を有する。本発明は上記記載の真偽判別可能な印刷物を提案するものである。
【課題を解決するための手段】
【０００９】
本発明は、基材上に印刷模様を設け、前記印刷模様は少なくとも二つの画素によって構成された微細構成子が規則的に複数配列されて成り、第１の微細構成子から成る少なくとも一つの潜像画像部とその周辺に第２の微細構成子から成る背景画像部を含む真偽判別可能な印刷物において、前記微細構成子は、少なくとも二色を有し、前記第１の微細構成子と前記第２の微細構成子の形状が異なって成る真偽判別可能な印刷物であって、前記真偽判別可能な印刷物にレンチキュラーレンズを重ね合わせた場合に、前記潜像画像部が視認されて成る真偽判別可能な印刷物である。
【００１０】
また、本発明は、基材上に印刷模様を設け、前記印刷模様は少なくとも二つの画素によって構成された微細構成子が規則的に複数配列されて成り、第１の微細構成子から成る少なくとも一つの潜像画像部とその周辺に第２の微細構成子から成る背景画像部を含む真偽判別可能な印刷物において、前記微細構成子は、少なくとも二色を有し、前記第１の微細構成子と前記第２の微細構成子の形状が同一で形成され、前記第１の微細構成子と前記第２の微細構成子は互いに配置角度が異なって成る真偽判別可能な印刷物であって、前記真偽判別可能な印刷物にレンチキュラーレンズを重ね合わせた場合に、前記潜像画像部が視認されて成る真偽判別可能な印刷物である。
【００１１】
また、本発明は、基材上に印刷模様を設け、前記印刷模様は少なくとも二つの画素によって構成された微細構成子が規則的に複数配列されて成り、第１の微細構成子から成る少なくとも一つの潜像画像部とその周辺に第２の微細構成子から成る背景画像部を含む真偽判別可能な印刷物において、前記微細構成子は、少なくとも二色を有し、前記第１の微細構成子と前記第２の微細構成子の形状が同一で形成され、前記第１の微細構成子と前記第２の微細構成子を形成する同色の画素の配置位置が異なって成る真偽判別可能な印刷物であって、前記真偽判別可能な印刷物にレンチキュラーレンズを重ね合わせた場合に、前記潜像画像部が視認されて成る真偽判別可能な印刷物である。
【発明の効果】
【００１２】
本発明は、基材上に印刷模様を設け、印刷模様は少なくとも二つの画素によって構成された微細構成子が規則的に複数配列されて成り、第１の微細構成子から成る少なくとも一つの潜像画像部とその周辺に第２の微細構成子から成る背景画像部を含む真偽判別可能な印刷物において、微細構成子は、少なくとも２色を有し、第１の微細構成子と第２の微細構成子の形状を異ならせるか、又は、形状が同一で、第１の微細構成子と第２の微細構成子は互いに配置角度を異ならせることによって、従来のような万線の構成で、潜像画像部と背景画像部を形成することなく、微細構成子で潜像画像部と背景画像部を形成しているため、印刷物のみで肉眼で観察した場合に、従来よりも潜像画像部と背景画像部を区分けして視認されることがない非視認性に優れる。
【００１３】
また、本発明の印刷物にレンチキュラーレンズを重ねて観察した場合に潜像画像部と背景画像部が区分けされ、潜像画像として視認できるため、その印刷物が本物か否か判別することが可能である。レンチキュラーレンズを用いることによって従来よりも明瞭に潜像画像部が視認できる。更に、本発明の印刷物とレンチキュラーレンズの重ね合せる位置又は角度を変化させることによって、異なった色の潜像画像が視認できるため、真偽判別効果に優れる。また、重ね合せる位置又は角度によっては色にグラデーションを有する潜像画像が視認される。よって、銀行券、パスポート、有価証券、カード、印紙類、商品タグ、有料道路等の回数券、各種チケット等の貴重品に適用可能である。
【００１４】
また、潜像画像部と背景画像部を微細構成子で形成しているため、複雑なデザインを形成することが可能であり、また、判別具にレンチキュラーレンズを用い、微細構成子によって印刷物を形成することによって、ある特定角度で重ねた場合のズレに対する許容範囲が広いため、万線状のレンチキュラーレンズと重ね合わせて真偽判別する段階で、容易に潜像画像を視認することができる。また、万線状のレンチキュラーレンズの凹凸ピッチと印刷物の微細構成子の配列ピッチをほぼ同一にする必要がなく、万線状のレンチキュラーレンズの凹凸ピッチと印刷物の微細構成子の配列ピッチの差の許容範囲を広く形成することができる。
【００１５】
また、印刷物と万線状のレンチキュラーレンズの重ね合せる角度によって、異なった色の潜像画像が視認できるため、真偽判別効果に優れる。また、従来のような万線フィルタから成る判別具ではなく、万線状のレンチキュラーレンズから成る判別具を用いることによって、潜像画像を出現させるため、万線フィルタよりも潜像画像が明瞭に視認される。
【００１６】
また、少なくとも二つの画素によって構成された微細構成子は、複雑に形成することも可能であるため複製し難い印刷物となり得る。また、微細構成子のデザインによっては、潜像画像部と背景画像部で画線にズレを持たせることなく、スクリーン線数を異ならせる必要もない。更に、微細構成子のデザインによっては、複写機で複写した場合に、複写機の走査線の関係から、その複写物は潜像画像部と背景画像部に区分けされ、潜像画像として視認されるため複写防止効果を有する。解像度の高いカメラ付携帯電話、デジタルビデオカメラ又はデジタルカメラで撮影した場合の表示画像でも潜像画像部及び背景画像部の色が区分けして視認することができる。
【発明を実施するための最良の形態】
【００１７】
本発明を実施するための最良の形態を図面を参照して説明する。しかしながら、本発明は以下に述べる実施するための最良の形態に限定されるものではなく、特許請求の範囲記載における技術的思想の範囲内であれば、その他のいろいろな実施の形態が含まれる。
【００１８】
図１は本発明の真偽判別可能な印刷物（Ａ１）の一例とその一部拡大図である。図１に示すように基材（１）上に第１の微細構成子及び前記第２の微細構成子が格子状に複数配列されて成る印刷模様（２）を設け、印刷模様（２）は背景画像部と成る第１の印刷領域（３）と潜像画像部と成る第２の印刷領域（４）を含む真偽判別可能な印刷物（Ａ１）である。第１の印刷領域（３）は第２の印刷領域（４）の周辺に形成される。図１の拡大図に示すように第１の印刷領域（３）内は、２色（図面ではシアン、イエロー）の画素（５ａ、５ｂ）から成る第１の微細構成子（５）が規則的に複数配列されている。第２の印刷領域（４）内は、第１の微細構成子（５）と同一形状の画素（６ａ、６ｂ）から成る第２の微細構成子（６）が規則的に複数配列されている。また、第１の微細構成子（５）を形成するシアンの色の画素の面積（５ａ１）と第２の微細構成子を形成するシアンの画素の面積（６ａ１）は、同一又はほぼ同一の関係を有している必要がある。更に、第１の微細構成子（５）を形成するイエローの色の画素の面積（５ｂ１）と第２の微細構成子を形成するイエローの画素の面積（６ｂ１）は、同一又はほぼ同一の関係を有している必要がある。第２の微細構成子（６）は、第１の微細構成子（５）に対して、所定の角度（図面では右回りに３０°）で回転して規則的に複数配列されて成る。なお、色については特に限定されるものではない。つまり、第１の微細構成子と第２の微細構成子は、互いに配置角度が異なっていればよい。
【００１９】
ここでの、第１の微細構成子（５）及び第２の微細構成子（６）は同一の形状から成り、各微細構成子は少なくとも２色以上（図１では２色）を有する必要がある。また、図１では微細構成子を形成している２色の画素（５ａ，５ｂ）及び画素（６ａ、６ｂ）は、互いに離れて形成しているが、互いに接していても、一部が重なり合っていてもよい。よって、第１の微細構成子（５）及び第２の微細構成子（６）は、図２に示すような形状で形成することができる。ただし、図２は一例であり本発明はこれに限定されるものではない。また、図１では第２の微細構成子（６）は、第１の微細構成子（５）に対して、右回りに３０°で回転して規則的に複数配列されているが、第２の微細構成子（６）は、第１の微細構成子（５）に対して、１０°乃至３５０°の間で回転して形成することができる。更に好ましくは、３０°乃至１５０°又は２１０°乃至３３０°の範囲で回転させて形成することによって、潜像画像は明瞭に視認することができる。図３（ａ）は第２の微細構成子（６）は、第１の微細構成子（５）に対して、右回りに９０°で回転、図３（ｂ）は第２の微細構成子（６）は、第１の微細構成子（５）に対して、右回りに１２０°で回転、図３（ｃ）は第２の微細構成子（６）は、第１の微細構成子（５）に対して、右回りに１８０°で回転、図３（ｄ）は第２の微細構成子（６）は、第１の微細構成子（５）に対して、右回りに２１０°で回転、図３（ｅ）は２７０°で回転、図３（ｆ）は第２の微細構成子（６）は、第１の微細構成子（５）に対して、右回りに３３０°で回転させた例を示す。
【００２０】
また、図１で示した真偽判別可能な印刷物（Ａ１）は図４に示すように第１の微細構成子（５）及び第２の微細構成子（６）の各微細構成子はＸ方向及びＹ方向に一定の間隔で規則的に配列されている。つまり、第１の微細構成子（５）及び第２の微細構成子（６）の各微細構成子は格子状内に付与される。このように形成することによって、後述する図７に示すようなレンチキュラーレンズを重ね合わせないで真偽判別可能な印刷物（Ａ１）を肉眼で観察した場合に、第１の印刷領域（３）と第２の印刷領域（４）が区分けして視認されることがない非視認性に優れ、図８に示すようにレンチキュラーレンズを重ねて真偽判別可能な印刷物（Ａ１）を肉眼で観察した場合に、第１の印刷領域（３）と第２の印刷領域（４）が区分けされ、潜像画像として視認される視認性に優れる。図４では格子状の形状は一定の間隔で規則的に形成されているが、図５に示すようにズレ（Ｓ）を有して第１の微細構成子（５）及び第２の微細構成子（６）を配列してもよい。また、本発明は潜像画像部と背景画像部でスクリーン線数を異ならせなくても作製可能である。つまり、第１の微細構成子（５）及び第２の微細構成子（６）は各ユニット内に付与される。
【００２１】
更に、真偽判別可能な印刷物（Ａ１）の第２の微細構成子（６）は、第１の微細構成子（５）に対して、所定の角度（図面では右回りに３０°）で回転して規則的に複数配列されているが、図６（ａ）に示すように、第２の微細構成子（６）は第１の微細構成子（５）に対して、所定の位置にずらして規則的に複数配列してもよい。図６（ａ）ではズレ（ｓ）を有している。また、図６（ｂ）に示すように、第２の微細構成子（６）は第１の微細構成子（５）に対して、所定の位置にずらし、かつ、所定の角度で回転して規則的に複数配列してもよい。図６（ｂ）ではズレ（ｓ）を有し、右回りに３０°回転している。
【００２２】
更に、図１の説明では、微細構成子を回転させているが、第２の微細構成子を形成する少なくとも一種類の画素は、第２の微細構成子を形成する少なくとも一種類の画素と同色の前記第１の微細構成子を形成する画素に対して、所定の位置にズレ及び／又は所定の角度で回転することによっても本発明の効果を得ることができる。
【００２３】
図７は、万線状のレンチキュラーレンズを重ね合わせないで真偽判別可能な印刷物（Ａ１）のみを肉眼で観察した場合の図である。図７に示すように、第２の印刷領域（４）を形成する第２の微細構成子（６）は、第１の印刷領域（３）を形成する第１の微細構成子（５）に対して、右回りに３０°を回転して規則的に複数配列されているが、形状が同一であり、第１の微細構成子（５）の画素（５ａ）及び第２の微細構成子（６）の画素（６ａ）の面積が同一又はほぼ同一であり、第１の微細構成子（５）の画素（５ｂ）及び第２の微細構成子（６）の画素（６ｂ）の面積が同一又はほぼ同一であり、更に、第１の微細構成子（５）及び第２の微細構成子（６）は微細構成子であるため、肉眼では第１の印刷領域（３）及び第２の印刷領域（４）を区分けされず、第１の印刷領域（３）及び第２の印刷領域（４）は同一又はほぼ同一の色調に視認され、潜像画像は視認することができない。よって、印刷模様（２）のみが視認され、印刷模様（２）の色は、シアン、イエローから成る画素（５ａ，５ｂ）及びシアン、イエローから成る画素（６ａ、６ｂ）の混色であるグリーンが視認される。
【００２４】
図８は、真偽判別可能な印刷物（Ａ１）にレンチキュラーレンズ（Ｌ）を重ね合わせて肉眼で観察した場合の図である。レンチキュラーレンズ（Ｌ）は蒲鉾状のレンズが万線のように複数形成されている。図８（ａ）は第１の印刷領域（３）を形成する第１の微細構成子（５）に対して、０°の角度で重ねた場合の図であり、図８（ｂ）は第１の印刷領域（３）を形成する第１の微細構成子（５）に対して、１０°の角度で重ねた場合の図であり、図８（ｃ）は第１の印刷領域（３）を形成する第１の微細構成子（５）に対して、９０°の角度で重ねた場合の図である。
【００２５】
図８（ａ）のように、第１の印刷領域（３）を形成する第１の微細構成子（５）に対して、０°の角度で重ねた場合に、第１の印刷領域（３）はシアンと下地色の混色に視認され、第２の印刷領域（４）はシアンに視認され、色の違いによって第１の印刷領域（３）と第２の印刷領域（４）が区分けされ、第２の印刷領域（４）が潜像画像として視認される。また、第１の印刷領域（３）を形成する第１の微細構成子（５）に対して、０°の角度で重ねた場合に、第１の印刷領域（３）はイエローと下地色の混色に視認され、第２の印刷領域（４）はイエローに視認され、色の違いによって第１の印刷領域（３）と第２の印刷領域（４）が区分けされ、第２の印刷領域（４）が潜像画像として視認される。
【００２６】
図８（ｂ）のように、第１の印刷領域（３）を形成する第１の微細構成子（５）に対して、１０°の角度で重ねた場合に、第１の印刷領域（３）及び第２の印刷領域（４）はシアン、イエロー及び下地色のストライプに視認されるが、しかし、第１の印刷領域（３）と第２の印刷領域（４）ではストライプに位相差が生じ、ストライプの位相差によって第１の印刷領域（３）と第２の印刷領域（４）が区分けされ、第２の印刷領域（４）が潜像画像として視認される。
【００２７】
図８（ｃ）のように、第１の印刷領域（３）を形成する第１の微細構成子（５）に対して、９０°の角度で重ねた場合に、第１の印刷領域（３）はシアン、イエロー及び下地色の混色に視認され、第２の印刷領域（４）は下地の拡大される領域がほとんどなく、シアンとイエローの混色に視認され、色の違いによって第１の印刷領域（３）と第２の印刷領域（４）が区分けされ、第２の印刷領域（４）が潜像画像として視認される。このように、真偽判別可能な印刷物（Ａ１）とレンチキュラーレンズの重ね合せる位置又は角度によって、異なった色の潜像画像が視認できるため、真偽判別効果に優れる。ただし、本発明は微細構成子の色、微細構成子の形状、微細構成子の配列ピッチ、判別するレンチキュラーレンズの線数によって、潜像画像を視認するための印刷物とレンチキュラーレンズの重ね合せる位置又は角度は異なり、また、潜像画像が視認される色は異なるため、本発明は上記説明に限定されるものではない。
【００２８】
図９乃至図１３は、真偽判別可能な印刷物（Ａ１）の第１の微細構成子（５）及び第２の微細構成子（６）とレンチキュラーレンズとの関係を示す。ただし、レンチキュラーレンズの線数は、第１の微細構成子（５）及び第２の微細構成子（６）のピッチと等しい場合であり、一例である。図９（ａ）及び図１０（ａ）は、下地が白である真偽判別可能な印刷物（Ａ１）の第１の印刷領域（３）と第２の印刷領域（４）の境界部分を拡大したものであり、レンチキュラーレンズを０°で重ねた時に拡大される部分を示してある。レンチキュラーレンズは、第１の印刷領域（３）内では、画素（５ａ、５ｂ）の一部分又は下地を拡大し、第２の印刷領域（４）内では、画素（６ａ、６ｂ）の一部分又は下地を拡大する。
【００２９】
図９（ｂ）は、図９（ａ）に示した画素（５ａ、５ｂ）及び画素（６ａ、６ｂ）の拡大図を示すが、第１の印刷領域（３）内では、画素（５ａ）と下地の白色が拡大されるため、図９（ｃ）のように低濃度のシアンで拡大表示され、第２の印刷領域（４）内では、下地の白色の拡大される領域がほとんどなく、画素（６ａ）が拡大されるため、図９（ｃ）のように高濃度のシアンで拡大表示される。よって、第１の印刷領域（３）と第２の印刷領域（４）を区分けして視認することができ、潜像画像を観察できる。図１０（ｂ）は、図１０（ａ）に示した画素（５ａ、５ｂ）及び画素（６ａ、６ｂ）の拡大図を示すが、第１の印刷領域（３）内では、画素（５ｂ）と下地の白色が拡大されるため、図１０（ｃ）のように低濃度のイエローで拡大表示され、第２の印刷領域（４）内では、下地の白色の拡大される領域がほとんどなく、画素（６ｂ）が拡大されるため、図１０（ｃ）のように高濃度のイエローで拡大表示される。よって、第１の印刷領域（３）と第２の印刷領域（４）を区分けして視認することができ、潜像画像が観察できる。以上のことから、レンチキュラーレンズを０°で重ねた場合、レンチキュラーレンズを重ねる位置を変えることで、色が異なる潜像を観察できることから、レンチキュラーレンズをずらすことで、色の異なる潜像画像が交互に現れて観察できるようになる。
【００３０】
図１１は、下地が白である真偽判別可能な印刷物（Ａ１）の第１の印刷領域（３）と第２の印刷領域（４）の境界部分を拡大したものであり、第１の微細構成子（５）及び第２の微細構成子（６）のピッチと等しいレンチキュラーレンズを１０°で重ねた時に拡大される部分を示してある。第１の印刷領域（３）及び第２の印刷領域（４）では、画素（５ａ）、画素（５ｂ）、画素（６ａ）、画素（６ｂ）及び下地が、規則的に選ばれて拡大されるため、シアン、イエロー及び下地の白色の規則的なストライプパターンとして観察される。しかし、レンチキュラーレンズで拡大表示される画像は、第１の印刷領域（３）と第２の印刷領域（４）で規則的に選ばれる微細構成子の領域が異なるため、図１２に示すように、観察されるストライプパターンに位相差が生じる。よって、第１の印刷領域（３）と第２の印刷領域（４）を区分けして視認することができ、潜像画像を観察できる。
【００３１】
図１３（ａ）は、下地が白である真偽判別可能な印刷物（Ａ１）の第１の印刷領域（３）と第２の印刷領域（４）の境界部分を拡大したものであり、第１の微細構成子（５）及び第２の微細構成子（６）のピッチと等しいレンチキュラーレンズを９０°で重ねた時に拡大される部分を示してある。図１３（ｂ）は、図１３（ａ）に示した画素（５ａ、５ｂ）及び画素（６ａ、６ｂ）の拡大図を示すが、第１の印刷領域（３）では、下地の白色と、画素（５ａ）及び画素（５ｂ）の一部が同面積で選ばれて拡大され、第２の印刷領域（４）では、下地の白色の拡大される領域がほとんどなく、画素（６ａ）及び画素（６ｂ）の一部が同面積で選ばれて拡大される。しかし、拡大される第１の印刷領域（３）の画素（５ａ、５ｂ）と拡大される第２の印刷領域（４）の画素（６ａ、６ｂ）とでは、微細構成子形状が異なるため、よって、図１３（ｃ）に示すようにレンチキュラーレンズによる拡大画像の面積において、第１の印刷領域（３）と第２の印刷領域（４）で差異が生じる。よって、濃淡画像として、第１の印刷領域（３）と第２の印刷領域（４）とで、シアン、イエロー及び下地の白色の混色であるグリーンの濃淡差が生じ、第１の印刷領域（３）と第２の印刷領域（４）が区分けして視認することができ、潜像画像を観察できる。
【００３２】
図１４は、本発明の真偽判別可能な印刷物（Ａ２）の一例とその一部拡大図である。図１４に示すように基材（１）上に第１の微細構成子及び前記第２の微細構成子が格子状に複数配列されて成る印刷模様（２）を設け、印刷模様（２）は背景画像部となる第１の印刷領域（３）と潜像画像部となる第２の印刷領域（４）を含む真偽判別可能な印刷物（Ａ２）である。第１の印刷領域（３）は第２の印刷領域（４）の周辺に形成される。図１４の拡大図に示すように第１の印刷領域（３）内は、２色（図面ではイエロー、シアン）の画素（５ａ、５ｂ）から成る第１の微細構成子（５）が規則的に複数配列されている。第２の印刷領域（４）内は、２色（図面ではイエロー、シアン）の画素（６ａ、６ｂ）から成る第１の微細構成子（５）と形状が異なった同色の第２の微細構成子（６）が規則的に複数配列されて成る。第１の微細構成子（５）を形成するイエローの色の画素の面積（５ａ１）と第２の微細構成子を形成するイエローの画素の面積（６ａ１）は同一又はほぼ同一の関係を有している必要がある。更に、第１の微細構成子（５）を形成するシアンの色の画素の面積（５ｂ１）と第２の微細構成子を形成するシアンの画素の面積（６ｂ１）は同一又はほぼ同一の関係を有している必要がある。つまり、第１の微細構成子（５）及び第２の微細構成子（６）は異なった形状から成り、第１の微細構成子（５）を形成する各々の色の画素の面積と第２の微細構成子（６）を形成する各々の色の画素の面積は同一又はほぼ同一の関係を有する必要がある。なお、上記色については特に限定されるものではい。
【００３３】
ここでの、図１４では、微細構成子を形成している２色の画素（５ａ，５ｂ）及び画素（６ａ、６ｂ）は、互いに接して形成しているが、互いに離れていても、一部が重なり合っていてもよい。よって、第１の微細構成子（５）及び第２の微細構成子（６）は図１５に示すような形状で形成することができる。ただし、図１５は一例であり本発明はこれに限定されるものではない。また、第１の微細構成子（５）を形成する各々の色の面積と第２の微細構成子を形成する各々の色の面積（６）は同一又はほぼ同一の関係を有している必要があり、ここでいう「ほぼ同一」とは、例えば、第１の微細構成子（５）を形成する画素（５ａ）のイエローの面積を１とした場合に、第２の微細構成子を形成する画素（６ａ）のイエローの面積（６）は８０％〜１２０％程度内で形成する必要がある。同様に、第１の微細構成子（５）を形成する画素（５ｂ）のシアンの面積を１とした場合に、第２の微細構成子を形成する画素（６ｂ）のシアンの面積（６）は８０％〜１２０％程度内で形成する必要がある。この範囲内で形成しないと、後述するレンチキュラーレンズを重ね合わせないで印刷物を肉眼で観察した場合に、第１の印刷領域（３）と第２の印刷領域（４）が区分けされ、潜像画像（隠し画像）が視認されるおそれが生じる。
【００３４】
更に、図１４で示した真偽判別可能な印刷物（Ａ２）は図１６に示すように第１の微細構成子（５）及び第２の微細構成子（６）の各微細構成子はＸ方向及びＹ方向に一定の間隔で規則的に配列されている。つまり、第１の微細構成子（５）及び第２の微細構成子（６）の各微細構成子は格子状内に付与される。このように形成することによって、後述する図１９に示すようなレンチキュラーレンズを重ね合わせないで真偽判別可能な印刷物（Ａ２）を肉眼で観察した場合に、第１の印刷領域（３）と第２の印刷領域（４）が区分けして視認されることがない非視認性に優れ、図２０に示すようにレンチキュラーレンズを重ねて真偽判別可能な印刷物（Ａ２）を肉眼で観察した場合に、第１の印刷領域（３）と第２の印刷領域（４）が区分けされ、潜像画像として視認される視認性に優れる。図１６では格子状の形状は一定の間隔で規則的に形成されているが、図１７に示すようにズレ（Ｓ）を有して第１の微細構成子（５）及び第２の微細構成子（６）を配列してもよい。また、本発明は潜像画像部と背景画像部でスクリーン線数を異ならせなくとも作製可能である。
【００３５】
上記図１の説明では、第１の微細構成子（５）と第２の微細構成子（６）の形状が異なる必要があると記載し説明しているが、互いに同色である第１の微細構成子を形成する画素と第２の微細構成子を形成する画素は、同一面積又はほぼ同一面積であれば、第２の微細構成子を形成する少なくとも一種類の画素は、第２の微細構成子を形成する少なくとも一種類の画素と同色の第１の微細構成子を形成する画素に対して、形状を異なって形成すれば、本発明の効果を得ることができる。更に、図１８（ａ）に示すように、第１の微細構成子（５）と第２の微細構成子（６）の形状が異なることに加え、第２の微細構成子（６）は第１の微細構成子（５）に対して、所定の位置にずらして規則的に複数配列してもよい。図１８（ａ）ではズレ（ｓ）を有している。また、図１８（ｂ）に示すように、第１の微細構成子（５）と第２の微細構成子（６）の形状が異なることに加え、第２の微細構成子（６）は第１の微細構成子（５）に対して、所定の位置にずらし、かつ、所定の角度で回転して規則的に複数配列してもよい。つまり、第１の微細構成子と第２の微細構成子は互いに配置角度が異なっている。図１８（ｂ）ではズレ（ｓ）を有し、右回りに３０°回転している。図１８（ｂ）ではズレ（ｓ）を有している。
【００３６】
図１９はレンチキュラーレンズを重ね合わせないで真偽判別可能な印刷物（Ａ２）のみを肉眼で観察した場合の図である。図１９に示すように、第２の印刷領域（４）を形成する第２の微細構成子（６）と、第１の印刷領域（３）を形成する第１の微細構成子（５）は異なった形状の微細構成子で形成されているが、第１の微細構成子（５）の画素（５ａ）及び第２の微細構成子（６）の画素（６ａ）の面積が同一又はほぼ同一であり、第１の微細構成子（５）の画素（５ｂ）及び第２の微細構成子（６）の画素（６ｂ）の面積が同一又はほぼ同一であり、更に、第１の微細構成子（５）及び第２の微細構成子（６）は微細構成子であるため、肉眼では第１の印刷領域（３）及び第２の印刷領域（４）を区分けされず、第１の印刷領域（３）及び第２の印刷領域（４）は同一又はほぼ同一の色調に視認され、潜像画像は視認することができない。よって、印刷模様（２）のみが視認され、印刷模様（２）の色は、イエロー、シアンからなる画素（５ａ，５ｂ）及びイエロー、シアンから成る画素（６ａ、６ｂ）の混色であるグリーンが視認される。
【００３７】
図２０は、真偽判別可能な印刷物（Ａ２）にレンチキュラーレンズ（Ｌ）を重ね合わせて肉眼で観察した場合の図である。万線状のレンチキュラーレンズ（Ｌ）は蒲鉾状のレンズが万線のように複数形成されている。図２０（ａ）は、第１の印刷領域（３）を形成する第１の微細構成子（５）に対して、０°の角度で重ねた場合の図であり、図２０（ｂ）は第１の印刷領域（３）を形成する第１の微細構成子（５）に対して、９０°の角度で重ねた場合の図である。
【００３８】
真偽判別可能な印刷物（Ａ２）にレンチキュラーレンズ（Ｌ）を０°の角度で重ねた場合では、第１の印刷領域（３）はシアンと下地色の混色に視認され、第２の印刷領域（４）はイエローと下地色の混色に視認される。または、第１の印刷領域（３）はシアンと下地色の混色に視認され、第２の印刷領域（４）は、下地部分の拡大される領域がほとんどなく、イエローとシアンの混色に視認されるか、又は、第１の印刷領域（３）は、下地部分の拡大される領域がほとんどなく、イエローで視認され、第２の印刷領域（４）は、イエローと下地色の混色に視認される。よって、色の違いによって第１の印刷領域（３）と第２の印刷領域（４）が区分けされ、第２の印刷領域（４）が潜像画像として視認される。このように、真偽判別可能な印刷物（Ａ２）とレンチキュラーレンズの重ね合せる位置又は角度によって、異なった色の潜像画像が視認できるため、真偽判別効果に優れる。ただし、本発明は微細構成子の色、微細構成子の形状、微細構成子の配列ピッチ、判別するレンチキュラーレンズの線数によって、潜像画像を視認するための印刷物とレンチキュラーレンズの重ね合せる位置又は角度は異なり、また、潜像画像が視認される色は異なるため、本発明は上記説明に限定されるものではない。
【００３９】
真偽判別可能な印刷物（Ａ２）にレンチキュラーレンズ（Ｌ）を９０°の角度で重ねた場合では、第１の印刷領域（３）はイエローと下地色の混色に視認され、第２の印刷領域（４）はシアンと下地色の混色に視認される。又は、第１の印刷領域（３）はシアンとイエローの混色に視認され、第２の印刷領域（４）はイエローに視認される。色の違いによって第１の印刷領域（３）と第２の印刷領域（４）が区分けされ、第２の印刷領域（４）が潜像画像として視認される。
【００４０】
図２１及び図２２は、真偽判別可能な印刷物（Ａ２）の第１の微細構成子（５）及び第２の微細構成子（６）とレンチキュラーレンズとの関係を示す。ただし、レンチキュラーレンズの線数は、第１の微細構成子（５）及び第２の微細構成子（６）のピッチと等しい場合であり、一例である。図２１（ａ）、図２１（ｃ）及び図２１（e）は、下地が白である真偽判別可能な印刷物（Ａ２）の第１の印刷領域（３）と第２の印刷領域（４）の画素（５ａ、５ｂ）及び画素（６ａ、６ｂ）を拡大したものであり、レンチキュラーレンズを０°で重ねた時に拡大される部分を示してある。図２１（ａ）のレンチキュラーレンズによる拡大画像を図２１（ｂ）に、図２１（ｃ）のレンチキュラーレンズによる拡大画像を図２１（ｄ）に、図２１（e）のレンチキュラーレンズによる拡大画像を図２１（ｆ）に示している。
【００４１】
図２１（ａ）及び図２１（ｂ）では、第１の印刷領域（３）内では、画素（５ｂ）と下地の白色が拡大されるため、低濃度のシアンで拡大表示され、第２の印刷領域（４）内では、画素（６ａ）と下地の白色が拡大されるため、低濃度のイエローで拡大表示される。よって、色の違いによって第１の印刷領域（３）と第２の印刷領域（４）を区分けして視認することができ、潜像画像を観察できる。図２１（ｃ）及び図２１（ｄ）では、第１の印刷領域（３）内では、画素（５ｂ）と下地の白色が拡大されるため、低濃度のシアンで拡大表示され、第２の印刷領域（４）内では、画素（６ａ）と画素（６ｂ）が拡大されるため、下地の白色が拡大される領域がほとんどなく、イエローとシアンの混色で拡大表示される。よって、色の違いによって第１の印刷領域（３）と第２の印刷領域（４）を区分けして視認することができ、潜像画像を観察できる。図２１（e）及び図２１（ｆ）では、第１の印刷領域（３）内では、下地の白色の拡大される領域がほとんどなく、画素（５ａ）が拡大されるため、高濃度のイエローで拡大表示され、第２の印刷領域（４）内では、画素（６ａ）と下地の白色が拡大されるため、低濃度のイエローで拡大表示される。よって、色の違いによって第１の印刷領域（３）と第２の印刷領域（４）を区分けして視認することができ、潜像を観察できる。以上のことから、レンチキュラーレンズを０°で重ねた場合、レンチキュラーレンズを重ねる位置を変えることで、色が異なる潜像を観察できることから、レンチキュラーレンズをずらすことで、色の異なる潜像が交互に現れて観察できるようになる。
【００４２】
図２２（ａ）及び図２２（ｃ）は、下地が白である真偽判別可能な印刷物（Ａ２）の第１の印刷領域（３）と第２の印刷領域（４）の画素（５ａ、５ｂ）及び画素（６ａ、６ｂ）を拡大したものであり、レンチキュラーレンズを９０°で重ねた時に拡大される部分を示してある。図２２（ａ）のレンチキュラーレンズによる拡大画像を図２２（ｂ）に、図２２（ｃ）のレンチキュラーレンズによる拡大画像を図２２（ｄ）に示している。
【００４３】
図２２（ａ）及び図２２（ｂ）では、第１の印刷領域（３）内では、画素（５ａ）と下地の白色が拡大されるため、低濃度のイエローで拡大表示され、第２の印刷領域（４）内では、画素（６ｂ）と下地の白色が拡大されるため、低濃度のシアンで拡大表示される。よって、色の違いによって第１の印刷領域（３）と第２の印刷領域（４）を区分けして視認することができ、潜像画像を観察できる。図２２（ｃ）及び図２２（ｄ）では、第１の印刷領域（３）内では、下地の白色の拡大される領域がほとんどなく、画素（５ａ）と画素（５ｂ）が拡大されるため、イエローとシアンの混色で拡大表示され、第２の印刷領域（４）内では、下地の白色の拡大される領域がほとんどなく、画素（６ａ）が拡大されるため、高濃度のイエローで拡大表示される。よって、色の違いによって第１の印刷領域（３）と第２の印刷領域（４）を区分けして視認することができ、潜像を観察できる。以上のことから、レンチキュラーレンズを９０°で重ねた場合、レンチキュラーレンズを重ねる位置を変えることで、色が異なる潜像を観察できることから、レンチキュラーレンズをずらすことで、色の異なる潜像が交互に現れて観察できるようになる。
【００４４】
本発明の真偽判別可能な印刷物は、少なくとも二つの画素によって構成された微細構成子は複雑に形成することも可能であるため複製し難い印刷物となり得る。また、微細構成子のデザインによって、第１の印刷領域と第２の印刷領域で異なった形状の微細構成子又は、形状は同一であるが第１の印刷領域と第２の印刷領域で配列方向が異なった微細構成子で形成しているため、印刷物を複製した複製物は背景画像部と潜像画像部の色調が異なって視認される。ここでいう「複製した複製物」とは、印刷物を複写機で複写した複製物、解像度の高いカメラ付携帯電話、デジタルビデオカメラ又はデジタルカメラで撮影した場合の表示画像のことである。
【００４５】
本発明の真偽判別可能な印刷物を印刷する画素の大きさは、５０μｍ〜５００μｍ程度にする必要がある。よって、微細構成子の大きさは、１００μｍ〜１０００μｍ程度にする必要がある。５０μｍより画素が小さいと印刷物を作製上困難となる、５００μｍより画素が大きいと肉眼で第１の印刷領域と第２の印刷領域に区分けされておそれが生じる。更に好ましくは画素の大きさは、１００μｍ〜１５０μｍ程度にする必要があり、微細構成子の大きさは、２００μｍ〜３００μｍ程度にすることが好ましい。また、本発明の真偽判別可能な印刷物を印刷する微細構成子のピッチは、１５０μｍ〜１５００μｍ程度にする必要があり、更に微細構成子のピッチを、２５０μｍ〜４００μｍ程度にすることが好ましい。
【００４６】
本発明の真偽判別可能な印刷物を判別するレンチキュラーレンズは、図２３（ａ）に示すように万線状のレンズ、図２３（ｂ）に示すようにドット状のレンズ等、特に限定されるものではないが、万線状のレンチキュラーレンズが最も本発明の効果を得ることができる。
【００４７】
例えば、本発明の真偽判別可能な印刷物の微細構成子を２００μｍで微細構成子のピッチを２５４μｍにした場合に、真偽判別可能な印刷物を判別するレンチキュラーレンズは、８０線〜１００線（ｌｉｎｅ／ｉｎｃｈ）程度の線数を有する必要がある。
【００４８】
第１の微細構成子（５）を形成する色の画素（５ａ）と第２の微細構成子（６）を形成する色の画素（６ａ）は、面積が同一又はほぼ同一の関係を有している必要があり、色が同一である必要があり、第１の微細構成子（５）を形成する色の画素（５ｂ）と第２の微細構成子（６）を形成する色の画素（６ｂ）は、面積が同一又はほぼ同一の関係を有している必要があり、色が同一である必要がある。また、第１の微細構成子（５）を形成する色の画素（５ａ）と第１の微細構成子（５）を形成する色の画素（５ｂ）は色が異なっている必要があり、第２の微細構成子（６）を形成する色の画素（６ａ）と第２の微細構成子（６）を形成する色の画素（６ｂ）は色が異なっている必要がある。ここでは、第１の微細構成子（５）及び第２の微細構成子（６）は画素（５ａ、５ｂ）又は画素（６ａ、６ｂ）の２色で説明しているが本発明は、これに限定されることなく、少なくとも２色以上の色で第１の微細構成子（５）及び第２の微細構成子（６）を構成できる。つまり、３色で第１の微細構成子（５）及び第２の微細構成子（６）を形成する場合、画素は３つからなり、４色で第１の微細構成子（５）及び第２の微細構成子（６）を形成する場合、画素は４つから成る。
【００４９】
本発明の真偽判別可能な印刷物を印刷する基材は、紙、プラスチック、フィルム、金属板等、特に限定されるものではない。
【００５０】
本発明の真偽判別可能な印刷物を印刷する印刷方式は、オフセット印刷方式、グラビア印刷方式、スクリーン印刷方式、フレキソ印刷方式、インクジェットプリンタ、レーザプリンタ等、特に限定されるものではない。
【００５１】
印刷模様及び潜像画像は、文字、数字、記号及び絵柄の少なくとも一つで構成することができるため、デザインは、特に限定されるものではない。
【実施例】
【００５２】
以下、実施例を用いて本発明を更に詳細に説明するが、本発明の内容は、これらの実施例の範囲に限定されるものではない。
【００５３】
（実施例１）
ＣＧ（コンピュータグラフィック）ソフトで図２４（ａ）に示すような第１の微細構成子及び前記第２の微細構成子が格子状に複数配列されて成る印刷模様（２）を作成した。印刷模様（２）は背景画像部と成る第１の印刷領域（３）と潜像画像部とから成る第２の印刷領域（４）を含む。図２４（ｂ）に画素（５ａ、５ｂ）及び画素（６ａ、６ｂ）の拡大図を示す。第１の印刷領域（３）内は、画素（５ａ、５ｂ）から成る第１の微細構成子（５）が規則的に複数配列されている。第２の印刷領域（４）内は、第１の微細構成子（５）と同一形状の画素（６ａ、６ｂ）から成る第２の微細構成子（６）が規則的に複数配列されている。第２の微細構成子（６）は、第１の微細構成子（５）に対して、所定の角度（図面では右回りに３０°）で回転して規則的に複数配列されている。画素（５ａ、５ｂ）は、それぞれ８０μｍ×２００μｍの同一の大きさをした長方形であり、第１の微細構成子（５）及び第２の微細構成子（６）は、２００μｍの大きさをした正方形であり、画素（５ａ）と画素（５ｂ）が、短辺方向に４０μｍの間隔をとり並列して配置されて構成されており、縦方向及び横方向にピッチ２５４μｍで規則正しく配列されている。この模様（２）をフィルム出力し、シアン用及びイエロー用の製版版面を作製し、画素（５ａ、６ａ）はシアン、画素（５ｂ、６ｂ）はイエローの色で白紙にオフセット印刷し、図２５に示す真偽判別可能な印刷物（Ｂ１）を作製した。
【００５４】
真偽判別可能な印刷物（Ｂ１）の印刷模様（２）はシアンとイエローの混色である緑で観察され、背景画像部となる第１の印刷領域（３）と潜像画像部となる第２の印刷領域（４）は区分けして観察することはできなかった。図２６（ａ）に示すように、真偽判別可能な印刷物（Ｂ１）にスクリーン線数１００（ｌｉｎｅ／ｉｎｃｈ）のレンチキュラーレンズ（Ｌ）を、第１の微細構成子（５）に対して、０°の角度で重ねた場合に、第１の印刷領域（３）は画素（５ａ）及び下地の白色の混色である、低濃度のシアンに視認され、第２の印刷領域（４）は下地の白色の拡大される領域がほとんどなく、画素（６ａ）である高濃度のシアンに視認され、色の違いによって第１の印刷領域（３）と第２の印刷領域（４）が区分けされ、第２の印刷領域（４）が潜像画像として視認された。さらに、図２６（ｂ）に示すように、Ｘ方向にレンチキュラーレンズ（Ｌ）を若干ずらして観察した場合に、第１の印刷領域（３）は画素（５ｂ）及び下地の白色の混色である、低濃度のイエローに視認され、第２の印刷領域（４）は下地の白色の拡大される領域がほとんどなく、画素（６ｂ）である高濃度のイエローに視認され、色の違いによって第１の印刷領域（３）と第２の印刷領域（４）が区分けされ、第２の印刷領域（４）が潜像画像として視認された。
【００５５】
図２７は、第１の印刷領域（３）を形成する第１の微細構成子（５）に対して、１０°の角度で重ねた場合を示す。第１の印刷領域（３）及び第２の印刷領域（４）は画素（５ａ）、画素（５ｂ）及び下地の白色のストライプに視認されるが、しかし、第１の印刷領域（３）と第２の印刷領域（４）ではストライプに位相差が生じ、ストライプの位相差によって第１の印刷領域（３）と第２の印刷領域（４）が区分けされ、第２の印刷領域（４）が潜像画像として視認された。
【００５６】
図２８は、第１の印刷領域（３）を形成する第１の微細構成子（５）に対して、９０°の角度で重ねた場合を示す。第１の印刷領域（３）は画素（５ａ）、画素（５ｂ）及び下地の白色の混色の低濃度のグリーンに視認され、第２の印刷領域（４）は下地の白色の拡大される領域がほとんどなく、画素（６ａ）、画素（６ｂ）の混色の高濃度のグリーンに視認され、色の違いによって第１の印刷領域（３）と第２の印刷領域（４）が区分けされ、第２の印刷領域（４）が潜像画像として視認された。
【００５７】
（実施例２）
CGソフトで図２９（ａ）に示すような第１の微細構成子及び前記第２の微細構成子が格子状に複数配列されて成る印刷模様（２）を作成した。印刷模様（２）は背景画像部と成る第１の印刷領域（３）と潜像画像部とから成る第２の印刷領域（４）を含む。図２９（ｂ）に画素（５ａ、５ｂ）及び画素（６ａ、６ｂ）の拡大図を示す。第１の印刷領域（３）内は、画素（５ａ、５ｂ）から成る第１の微細構成子（５）が規則的に複数配列されている。第２の印刷領域（４）内は、第１の微細構成子（５）と形状が異なる画素（６ａ、６ｂ）から成る第２の微細構成子（６）が規則的に複数配列されている。画素（５ａ）及び画素（６ａ）は８０μm×２００μmの同面積のシアン色であり、画素（５ｂ）及び画素（６ｂ）は８０μm×１００μm同面積のイエロー色である。第１の微細構成子（５）は画素（５ａ、５ｂ）でＬ型形状に構成されており、第２の微細構成子（６）は画素（６ａ、６ｂ）で凸型形状に構成されており、縦方向及び横方向にピッチ２５４μmで規則正しく配列されている。この模様（２）をフィルム出力し、シアン用及びイエロー用の製版版面を作製し、画素（５ａ、６ａ）はシアン、画素（５ｂ、６ｂ）はイエローの色で白紙にオフセット印刷し、図３０に示す真偽判別可能な印刷物（Ｂ２）を作製した。
【００５８】
真偽判別可能な印刷物（Ｂ２）の印刷模様（２）はシアンとイエローの混色であるグリーンで観察され、背景画像部となる第１の印刷領域（３）と潜像画像部となる第２の印刷領域（４）は区分けして観察することはできなかった。図３１（ａ）に示すように、真偽判別可能な印刷物（Ｂ２）にスクリーン線数１００（ｌｉｎｅ／ｉｎｃｈ）のレンチキュラーレンズ（Ｌ）を、第１の微細構成子（５）に対して、９０°の角度で重ねた場合に、第１の印刷領域（３）は画素（５ｂ）及び下地の白色の混色である、低濃度のイエローに視認され、第２の印刷領域（４）は画素（６ａ）及び下地の白色の混色である、低濃度のシアンに視認され、色の違いによって第１の印刷領域（３）と第２の印刷領域（４）が区分けされ、第２の印刷領域（４）が潜像画像として視認された。図３１（ｂ）のように、Ｙ方向にレンチキュラーレンズ（Ｌ）を若干ずらして観察した場合に、第１の印刷領域（３）は、下地の白色の拡大される領域がほとんどなく、画素（５ａ）及び画素（５ｂ）の混色であるグリーンが視認され、第２の印刷領域（４）は、下地の白色の拡大される領域がほとんどなく、画素（６ｂ）である高濃度のイエローに視認され、色の違いによって第１の印刷領域（３）と第２の印刷領域（４）が区分けされ、第２の印刷領域（４）が潜像画像として視認された。
【００５９】
図３２（ａ）に示すように、第１の印刷領域（３）を形成する第１の微細構成子（５）に対して、０°の角度で重ねた場合に、第１の印刷領域（３）は画素（５ｂ）及び下地の白色の混色である、低濃度のシアンに視認され、第２の印刷領域（４）は、画素（６ｂ）及び下地の白色の混色である、低濃度のイエローに視認され、色の違いによって第１の印刷領域（３）と第２の印刷領域（４）が区分けされ、第２の印刷領域（４）が潜像画像として視認された。図３２（ｂ）のように、Ｘ方向にレンチキュラーレンズ（Ｌ）を若干ずらして観察した場合に、第１の印刷領域（３）は、画素（５ｂ）及び下地の白色の混色である、低濃度のシアンに視認され、第２の印刷領域（４）は、下地の白色の拡大される領域がほとんどなく、画素（６ａ）及び画素（６ｂ）の混色であるグリーンが視認され、色の違いによって第１の印刷領域（３）と第２の印刷領域（４）が区分けされ、第２の印刷領域（４）が潜像画像として視認された。図３０（ｃ）のように、Ｘ方向にさらにレンチキュラーレンズ（Ｌ）を若干ずらして観察した場合に、第１の印刷領域（３）は下地の白色の拡大される領域がほとんどなく、画素（５ｂ）である高濃度のイエローに視認され、第２の印刷領域（４）は、画素（６ｂ）及び下地の白色の混色である、低濃度のイエローに視認され、色の違いによって第１の印刷領域（３）と第２の印刷領域（４）が区分けされ、第２の印刷領域（４）が潜像画像として視認された。
【００６０】
（実施例３）
潜像画像を二つ埋め込んだ場合の例を示す。CGソフトで図３３に示すような第１の微細構成子及び前記第２の微細構成子が格子状に複数配列されて成る印刷模様（２）を作成した。印刷模様（２）は第１の背景画像部となる第１の印刷領域（３）と第１の潜像画像部とから成る第２の印刷領域（４）と、第２の背景画像部と成る第３の印刷領域（７）と第２の潜像画像部とから成る第４の印刷領域（８）とを含む。図３３の拡大図に示すように第１の印刷領域（３）内は、画素（５ａ、５ｂ）から成る第１の微細構成子（５）が規則的に複数配列されている。第２の印刷領域（４）内は、第１の微細構成子（５）と、形状が同一であるが、第１の微細構成子（５）と同色の画素の配置位置が異なる画素（６ａ、６ｂ）から成る第２の微細構成子（６）が規則的に複数配列されている。第３の印刷領域（７）内は、第１の微細構成子（５）及び第２の微細構成子（６）と、形状が同一であるが、第１の微細構成子（５）及び第２の微細構成子（６）と同色の画素の配置位置が異なる画素（９ａ、９ｂ）からなる第３の微細構成子（９）が規則的に複数配列されている。図面では、第３の微細構成子（９）は第１の微細構成子（５）に対して、９０°回転している例である。第４の印刷領域（８）内は、第１の微細構成子（５）、第２の微細構成子（６）及び第３の微細構成子（９）と、形状が同一であるが、第１の微細構成子（５）、第２の微細構成子（６）及び第３の微細構成子（９）と同色の画素の配置位置が異なる画素（１０ａ、１０ｂ）から成る第４の微細構成子（１０）が規則的に複数配列されている。図面では、第４の微細構成子（１０）は第２の微細構成子（６）に対して、９０°回転している例である。すべての画素は、５０μm×１００μmの長方形形状であり、画素（５ａ）、画素（６ａ）、画素（９ａ）及び画素（１０ａ）は緑色、画素（５ｂ）、画素（６ｂ）、画素（９ｂ）及び画素（１０ｂ）はマゼンタ色である。すべての微細構成子は、Ｌ字形状に構成されており、縦方向及び横方向に、重なることなくピッチ２５４μmで規則正しく交互に配列されている。この模様（２）をフィルム出力し、緑用及びマゼンタ用の製版版面を作製し、画素（５ａ、６ａ、９a、１０a）は緑、画素（５ｂ、６ｂ、９ｂ、１０ｂ）はマゼンタの色で白紙にオフセット印刷し、図３４に示す真偽判別可能な印刷物（Ｂ３）を作製した。
【００６１】
真偽判別可能な印刷物（Ｂ３）の印刷模様（２）は緑とマゼンタの混色であるグレーで観察され、第１の印刷領域（３）、第２の印刷領域（４）、第３の印刷領域（７）及び第４の印刷領域（８）は区分けして観察することはできなかった。図３５（ａ）に示すように、真偽判別可能な印刷物（Ｂ３）にスクリーン線数１００（ｌｉｎｅ／ｉｎｃｈ）のレンチキュラーレンズ（Ｌ）を、第１の微細構成子（５）に対して、９０°の角度で重ねた場合に、第１の印刷領域（３）は画素（５a）及び下地の白色の混色である、低濃度の緑に視認され、第２の印刷領域（４）は画素（６b）及び下地の白色の混色である、低濃度のマゼンタに視認され、又は、第１の印刷領域（３）は低濃度のマゼンタ、第２の印刷領域（４）は低濃度の緑に視認され、色の違いによって第１の印刷領域（３）と第２の印刷領域（４）が区分けされ、第２の印刷領域（４）が潜像画像として視認された。図３５（ｂ）のように、Ｙ方向にレンチキュラーレンズ（Ｌ）を若干ずらして観察した場合に、第３の印刷領域（７）は画素（９b）及び下地の白色の混色である、低濃度のマゼンタに視認され、第４の印刷領域（８）は画素（１０a）及び下地の白色の混色である、低濃度の緑に視認され、又は、第３の印刷領域（７）は低濃度の緑、第４の印刷領域（８）は低濃度のマゼンタに視認され、色の違いによって第３の印刷領域（７）と第４の印刷領域（８）が区分けされ、第４の印刷領域（８）が潜像画像として視認された。
【００６２】
図３６（ａ）に示すように、真偽判別可能な印刷物（Ｂ３）にスクリーン線数１００（ｌｉｎｅ／ｉｎｃｈ）のレンチキュラーレンズ（Ｌ）を、第１の微細構成子（５）に対して、０°の角度で重ねた場合に、第１の印刷領域（３）は画素（５a）及び下地の白色の混色である、低濃度の緑に視認され、第２の印刷領域（４）は画素（６b）及び下地の白色の混色である、低濃度のマゼンタに視認され、又は、第１の印刷領域（３）は低濃度のマゼンタ、第２の印刷領域（４）は低濃度の緑に視認され、色の違いによって第１の印刷領域（３）と第２の印刷領域（４）が区分けされ、第２の印刷領域（４）が潜像画像として視認された。図３６（ｂ）のように、Ｙ方向にレンチキュラーレンズ（Ｌ）を若干ずらして観察した場合に、第３の印刷領域（７）は画素（９b）及び下地の白色の混色である、低濃度のマゼンタに視認され、第４の印刷領域（８）は画素（１０a）及び下地の白色の混色である、低濃度の緑に視認され、又は、第３の印刷領域（７）は低濃度の緑、第４の印刷領域（８）は低濃度のマゼンタに視認され、色の違いによって第３の印刷領域（７）と第４の印刷領域（８）が区分けされ、第４の印刷領域（８）が潜像画像として視認された。
【図面の簡単な説明】
【００６３】
【図１】真偽判別可能な印刷物（Ａ１）の一例とその一部拡大図を示す図である。
【図２】第１の微細構成子（５）及び第２の微細構成子（６）の形状の一例を示す図である。
【図３】第２の微細構成子（６）が、第１の微細構成子（５）に対して、所定の角度で回転させた例を示す図である。
【図４】第１の微細構成子（５）及び第２の微細構成子（６）の各微細構成子の配列された例を示す図である。
【図５】第１の微細構成子（５）及び第２の微細構成子（６）の各微細構成子のズレを持って配列された例を示す図である。
【図６】第２の微細構成子（６）が、第１の微細構成子（５）に対して、所定の位置にずらして規則的に複数配列した例を示す図である。
【図７】レンチキュラーレンズを重ね合わせないで真偽判別可能な印刷物（Ａ１）のみを肉眼で観察した場合の図である。
【図８】真偽判別可能な印刷物（Ａ１）にレンチキュラーレンズ（Ｌ）を重ね合わせて肉眼で観察した場合の図である。
【図９】潜像画像が視認される原理を示す図である。
【図１０】潜像画像が視認される原理を示す図である。
【図１１】潜像画像が視認される原理を示す図である。
【図１２】潜像画像が視認される原理を示す図である。
【図１３】潜像画像が視認される原理を示す図である。
【図１４】真偽判別可能な印刷物（Ａ２）の一例とその一部拡大図を示す図である。
【図１５】第１の微細構成子（５）及び第２の微細構成子（６）の形状の一例を示す図である。
【図１６】第１の微細構成子（５）及び第２の微細構成子（６）の各微細構成子の配列された例を示す図である。
【図１７】第１の微細構成子（５）及び第２の微細構成子（６）の各微細構成子のズレを持って配列された例を示す図である。
【図１８】第２の微細構成子（６）が、第１の微細構成子（５）に対して、所定の位置にずらして規則的に複数配列した例を示す図である。
【図１９】レンチキュラーレンズを重ね合わせないで真偽判別可能な印刷物（Ａ２）のみを肉眼で観察した場合の図である。
【図２０】真偽判別可能な印刷物（Ａ２）にレンチキュラーレンズ（Ｌ）を重ね合わせて肉眼で観察した場合の図である。
【図２１】潜像画像が視認される原理を示す図である。
【図２２】潜像画像が視認される原理を示す図である。
【図２３】レンチキュラーレンズの例を示す図である。
【図２４】ＣＧでの印刷模様（２）を示す図である。
【図２５】真偽判別可能な印刷物（Ｂ１）を示す図である。
【図２６】真偽判別可能な印刷物（Ｂ１）にレンチキュラーレンズ（Ｌ）を重ね合わせて肉眼で観察した場合の図である。
【図２７】真偽判別可能な印刷物（Ｂ１）にレンチキュラーレンズ（Ｌ）を重ね合わせて肉眼で観察した場合の図である。
【図２８】真偽判別可能な印刷物（Ｂ１）にレンチキュラーレンズ（Ｌ）を重ね合わせて肉眼で観察した場合の図である。
【図２９】ＣＧでの印刷模様（２）を示す図である。
【図３０】真偽判別可能な印刷物（Ｂ２）を示す図である。
【図３１】真偽判別可能な印刷物（Ｂ２）にレンチキュラーレンズ（Ｌ）を重ね合わせて肉眼で観察した場合の図である。
【図３２】真偽判別可能な印刷物（Ｂ２）にレンチキュラーレンズ（Ｌ）を重ね合わせて肉眼で観察した場合の図である。
【図３３】ＣＧでの印刷模様（２）を示す図である。
【図３４】真偽判別可能な印刷物（Ｂ３）を示す図である。
【図３５】真偽判別可能な印刷物（Ｂ３）にレンチキュラーレンズ（Ｌ）を重ね合わせて肉眼で観察した場合の図である。
【図３６】真偽判別可能な印刷物（Ｂ３）にレンチキュラーレンズ（Ｌ）を重ね合わせて肉眼で観察した場合の図である。
【符号の説明】
【００６４】
１          基材
２          印刷模様
３          第１の印刷領域
４          第２の印刷領域
５          第１の微細構成子
６          第２の微細構成子
７          第３の印刷領域
８          第４の印刷領域
９          第３の微細構成子
１０          第４の微細構成子
５ａ、５ｂ、５ｃ、６ａ、６ｂ、６ｃ、９ａ、９ｂ、１０ａ、１０ｂ          画素
５ａ１、６ａ１          イエローの面積
５ｂ１、６ｂ１          シアンの色の面積
Ａ１、Ａ２、Ｂ１、Ｂ２、Ｂ３          真偽判別可能な印刷物
Ｌ          レンチキュラーレンズ
Ｓ          ズレ
【図１】
2006051646.tif 000003
【図２】
2006051646.tif 000004
【図３】
2006051646.tif 000005
【図４】
2006051646.tif 000006
【図５】
2006051646.tif 000007
【図６】
2006051646.tif 000008
【図７】
2006051646.tif 000009
【図８】
2006051646.tif 000010
【図９】
2006051646.tif 000011
【図１０】
2006051646.tif 000012
【図１１】
2006051646.tif 000013
【図１２】
2006051646.tif 000014
【図１３】
2006051646.tif 000015
【図１４】
2006051646.tif 000016
【図１５】
2006051646.tif 000017
【図１６】
2006051646.tif 000018
【図１７】
2006051646.tif 000019
【図１８】
2006051646.tif 000020
【図１９】
2006051646.tif 000021
【図２０】
2006051646.tif 000022
【図２１】
2006051646.tif 000023
【図２２】
2006051646.tif 000024
【図２３】
2006051646.tif 000025
【図２４】
2006051646.tif 000026
【図２５】
2006051646.tif 000027
【図２６】
2006051646.tif 000028
【図２７】
2006051646.tif 000029
【図２８】
2006051646.tif 000030
【図２９】
2006051646.tif 000031
【図３０】
2006051646.tif 000032
【図３１】
2006051646.tif 000033
【図３２】
2006051646.tif 000034
【図３３】
2006051646.tif 000035
【図３４】
2006051646.tif 000036
【図３５】
2006051646.tif 000037
【図３６】
2006051646.tif 000038